(57)【要約】【課題】長期間にわたって木製板材の間に充填した培養土が漏れるのを確実に防止して、種々の形態ののり面を有効に緑化する。植物がのり面に活着した後、完全に腐食させて自然なのり面を実現する。【解決手段】のり面緑化用の土止具は、幅広端１Ａから先端１Ｂに向かって幅が狭くなる形状に切断している一対の木製板材１と、一対の木製板材１の幅広端１Ａを折曲できるように連結しているヒンジ２と、一対の木製板材１の幅広端１Ａと先端１Ｂの中間に両端を連結している連結材３とを備える。土止具は、連結材３で一対の木製板材１を所定の開度のＶ字状に連結し、幅広端１Ａがのり面１５の下に、先端１Ｂがのり面１５上に位置する姿勢でのり面１５に配設する。さらに、土止具は、連結材３を一対の木製板材１の間に充填される培養土１６に埋設して、連結材３でもって木製板材１を所定の開度に保持してのり面１５に固定する。【選択図】図７
2006322209.tif 000002
【特許請求の範囲】
【請求項１】
所定の幅の幅広端(1A)から他方の端に位置する先端(1B)に向かって幅が狭くなる形状に切断している一対の木製板材(1)と、一対の木製板材(1)の幅広端(1A)を折曲できるように連結しているヒンジ(2)と、ヒンジ(2)でＶ字状に連結している一対の木製板材(1)の幅広端(1A)と先端(1B)の中間に両端が連結されて一対の木製板材(1)を所定の開度に保持する連結材(3)とを備え、
連結材(3)でもって一対の木製板材(1)を所定の開度のＶ字状に連結し、所定の開度に設定されたＶ字状の木製板材(1)を、幅広端(1A)がのり面(15)の下に先端(1B)がのり面(15)の上に位置する姿勢でにのり面(15)に配設し、連結材(3)を一対の木製板材(1)の間に充填される培養土(16)に埋設して、連結材(3)でもって木製板材(1)を所定の開度に保持してのり面(15)に固定するようにしてなるのり面緑化用の土止具。
【請求項２】
所定の幅の幅広端(1A)から他方の端に位置する先端(1B)に向かって幅が狭くなる形状に切断している一対の木製板材(1)と、一対の木製板材(1)の幅広端(1A)を折曲できるように連結しているヒンジ(2)と、ヒンジ(2)でＶ字状に連結している一対の木製板材(1)の幅広端(1A)と先端(1B)の中間に両端が連結されて一対の木製板材(1)を所定の開度に保持する連結材(3)と、連結材(3)をのり面(15)に固定するアンカー(4)を備え、
連結材(3)でもって一対の木製板材(1)を所定の開度のＶ字状に連結し、所定の開度に設定されたＶ字状の木製板材(1)を、幅広端(1A)がのり面(15)の下に先端(1B)がのり面(15)の上に位置する姿勢でにのり面(15)に配設し、連結材(3)でもって木製板材(1)を所定の開度に保持すると共に、連結材(3)をアンカー(4)を介してのり面(15)に固定し、アンカー(4)と連結材(3)を介してＶ字状の木製板材(1)をのり面(15)に固定するようにしてなるのり面緑化用の土止具。
【請求項３】
一対の木製板材(1)の間に充填する培養土(16)に連結材(3)を埋設すると共に、培養土(16)に埋設している連結材(3)をアンカー(4)でのり面(15)に固定している請求項１及び２に記載されるのり面緑化用の土止具。
【請求項４】
所定の幅の幅広端(1A)から他方の端に位置する先端(1B)に向かって幅が狭くなる形状に切断している一対の木製板材(1)と、一対の木製板材(1)の間に配設されて、両端の連結端(7A)を木製板材(1)の幅広端(1A)に連結している木製中間板材(7)と、木製板材(1)の幅広端(1A)と木製中間板材(7)の連結端(7A)とを折曲できるように連結しているヒンジ(2)と、一対の木製板材(1)の幅広端(1A)と先端(1B)の中間に両端が連結されて一対の木製板材(1)を所定の開度に保持する連結材(3)とを備え、
連結材(3)でもって一対の木製板材(1)を所定の開度に連結し、所定の開度に設定された木製板材(1)の先端(1B)をのり面(15)の上に、木製中間板材(7)をのり面(15)の下に位置する姿勢でのり面(15)に配設し、連結材(3)を一対の木製板材(1)の間に充填される培養土(16)に埋設して、連結材(3)でもって木製板材(1)を所定の開度に保持して、木製板材(1)と木製中間板材(7)とをのり面(15)に固定するようにしてなるのり面緑化用の土止具。
【請求項５】
所定の幅の幅広端(1A)から他方の端に位置する先端(1B)に向かって幅が狭くなる形状に切断している一対の木製板材(1)と、一対の木製板材(1)の間に配設されて、両端の連結端(7A)を木製板材(1)の幅広端(1A)に連結している木製中間板材(7)と、木製板材(1)の幅広端(1A)と木製中間板材(7)の連結端(7A)とを折曲できるように連結しているヒンジ(2)と、一対の木製板材(1)の幅広端(1A)と先端(1B)の中間に両端が連結されて一対の木製板材(1)を所定の開度に保持する連結材(3)と、連結材(3)をのり面(15)に固定するアンカー(4)を備え、
連結材(3)でもって一対の木製板材(1)を所定の開度に連結し、所定の開度に設定された木製板材(1)の先端(1B)をのり面(15)の上に、木製中間板材(7)をのり面(15)の下に位置する姿勢でのり面(15)に配設し、連結材(3)でもって木製板材(1)を所定の開度に保持すると共に、連結材(3)をアンカー(4)を介してのり面(15)に固定し、アンカー(4)と連結材(3)を介して木製板材(1)と木製中間板材(7)とをのり面(15)に固定するようにしてなるのり面緑化用の土止具。
【請求項６】
一対の木製板材(1)の間に充填する培養土(16)に連結材(3)を埋設すると共に、培養土(16)に埋設している連結材(3)をアンカー(4)でのり面(15)に固定している請求項４及び５に記載されるのり面緑化用の土止具。
【請求項７】
所定の培養土(16)を充填できる上方開口の土止具が所定の間隔で固定され、土止具に培養土(16)を充填し、培養土(16)に植物(17)を植え付けしている緑化されたのり面であって、
土止具が、所定の幅の幅広端(1A)から他方の端に位置する先端(1B)に向かって幅が狭くなる形状に切断している一対の木製板材(1)と、一対の木製板材(1)の幅広端(1A)を折曲できるように連結しているヒンジ(2)と、ヒンジ(2)でＶ字状に連結している一対の木製板材(1)の幅広端(1A)と先端(1B)の中間に両端が連結されて一対の木製板材(1)を所定の開度に保持する連結材(3)とを備え、
この土止具が、連結材(3)でもって一対の木製板材(1)を所定の開度のＶ字状に連結し、所定の開度に設定されたＶ字状の木製板材(1)を、幅広端(1A)がのり面(15)の下に、先端(1B)がのり面(15)の上に位置する姿勢でのり面(15)に配設し、連結材(3)を一対の木製板材(1)の間に充填される培養土(16)に埋設して、連結材(3)でもって木製板材(1)を所定の開度に保持してのり面(15)に固定してなる緑化されたのり面。
【請求項８】
所定の培養土(16)を充填できる上方開口の土止具が所定の間隔で固定され、土止具に培養土(16)を充填し、培養土(16)に植物(17)を植え付けしている緑化されたのり面であって、
土止具が、所定の幅の幅広端(1A)から他方の端に位置する先端(1B)に向かって幅が狭くなる形状に切断している一対の木製板材(1)と、一対の木製板材(1)の幅広端(1A)を折曲できるように連結しているヒンジ(2)と、ヒンジ(2)でＶ字状に連結している一対の木製板材(1)の幅広端(1A)と先端(1B)の中間に両端が連結されて一対の木製板材(1)を所定の開度に保持する連結材(3)と、連結材(3)をのり面(15)に固定するアンカー(4)を備え、
この土止具が、連結材(3)でもって一対の木製板材(1)を所定の開度のＶ字状に連結し、所定の開度に設定されたＶ字状の木製板材(1)を、幅広端(1A)がのり面(15)の下に、先端(1B)がのり面(15)の上に位置する姿勢でのり面(15)に配設し、連結材(3)でもって木製板材(1)を所定の開度に保持すると共に、連結材(3)をアンカー(4)を介してのり面(15)に固定し、アンカー(4)と連結材(3)を介してＶ字状の木製板材(1)をのり面(15)に固定してなる緑化されたのり面。
【請求項９】
土止具が、一対の木製板材(1)の間に充填する培養土(16)に連結材(3)を埋設し、かつ培養土(16)に埋設している連結材(3)をアンカー(4)でのり面(15)に固定している請求項７及び８に記載される緑化されたのり面。
【請求項１０】
所定の培養土(16)を充填できる上方開口の土止具が所定の間隔で固定され、土止具に培養土(16)を充填し、培養土(16)に植物(17)を植え付けしている緑化されたのり面であって、
土止具が、所定の幅の幅広端(1A)から他方の端に位置する先端(1B)に向かって幅が狭くなる形状に切断している一対の木製板材(1)と、一対の木製板材(1)の間に配設されて、両端の連結端(7A)を木製板材(1)の幅広端(1A)に連結している木製中間板材(7)と、木製板材(1)の幅広端(1A)と木製中間板材(7)の連結端(7A)とを折曲できるように連結しているヒンジ(2)と、一対の木製板材(1)の幅広端(1A)と先端(1B)の中間に両端が連結されて一対の木製板材(1)を所定の開度に保持する連結材(3)とを備え、
この土止具が、連結材(3)でもって一対の木製板材(1)を所定の開度に連結し、所定の開度に設定された木製板材(1)の先端(1B)をのり面(15)の上に、木製中間板材(7)をのり面(15)の下に位置する姿勢でのり面(15)に配設し、連結材(3)を一対の木製板材(1)の間に充填される培養土(16)に埋設して、連結材(3)でもって木製板材(1)を所定の開度に保持して、木製板材(1)と木製中間板材(7)とをのり面(15)に固定してなる緑化されたのり面。
【請求項１１】
所定の培養土(16)を充填できる上方開口の土止具が所定の間隔で固定され、土止具に培養土(16)を充填し、培養土(16)に植物(17)を植え付けしている緑化されたのり面であって、
土止具が、所定の幅の幅広端(1A)から他方の端に位置する先端(1B)に向かって幅が狭くなる形状に切断している一対の木製板材(1)と、一対の木製板材(1)の間に配設されて、両端の連結端(7A)を木製板材(1)の幅広端(1A)に連結している木製中間板材(7)と、木製板材(1)の幅広端(1A)と木製中間板材(7)の連結端(7A)とを折曲できるように連結しているヒンジ(2)と、一対の木製板材(1)の幅広端(1A)と先端(1B)の中間に両端が連結されて一対の木製板材(1)を所定の開度に保持する連結材(3)と、連結材(3)をのり面(15)に固定するアンカー(4)を備え、
この土止具が、連結材(3)でもって一対の木製板材(1)を所定の開度に連結し、所定の開度に設定された木製板材(1)の先端(1B)をのり面(15)の上に、木製中間板材(7)をのり面(15)の下に位置する姿勢でのり面(15)に配設し、連結材(3)でもって木製板材(1)を所定の開度に保持すると共に、連結材(3)をアンカー(4)を介してのり面(15)に固定し、アンカー(4)と連結材(3)を介して木製板材(1)と木製中間板材(7)とをのり面(15)に固定してなる緑化されたのり面。
【請求項１２】
土止具が、一対の木製板材(1)の間に充填する培養土(16)に連結材(3)を埋設し、かつ培養土(16)に埋設している連結材(3)をアンカー(4)でのり面(15)に固定している請求項１０及び１１に記載される緑化されたのり面。
【発明の詳細な説明】
【技術分野】
【０００１】
本発明は、急勾配で表土の少ない岩盤質や硬土質ののり面に植物を植え付けするのり面緑化用の土止具と、この土止具を使用する緑化されたのり面に関する。
【背景技術】
【０００２】
切り開かれた岩盤が表出したのり面は、経時的な風化を防止すると共に、美観を向上させる目的で表面に植物を植生させている。ところが、勾配が急で、岩盤質ののり面は、表土が少ないので、植物を繁殖させるのが極めて難しい。この種ののり面に植物を植生する工法として、のり面に土止具を固定し、この土止具の上に培養土を入れて植物を植え付けする緑化工法が特許文献１に記載される。
【０００３】
この公報に記載される緑化工法は、図１ないし図３に示すように、２枚のパネル２０をＶ字状に連結してのり面１５に固定する。パネル２０は互いに連結するために、一方のパネル２０の幅広端縁２１には係合突起２２を設け、他方のパネル２０の幅広端縁２１には係合孔２３を設けている。係合突起２２はフックの形状として、これを係合孔２３に入れ、互いに抜けないように係止する状態で連結される。さらに、両方のパネル２０は、のり面１５に固定するために下端縁の近傍にアンカー孔２４を設けている。このアンカー孔２４にＬ字アンカー２５を連結してのり面１５に固定し、さらに三角形のパネル２０の上端部には、Ｕ曲したアンカー２６を連結してのり面１５に固定している。さらに、パネル２０の連結コーナー部２７をのり面に連結するために、図４に示す連結具２８を使用している。この連結具２８は、直交する姿勢で連結された一対のパネル２０を連結する４個の突起２９を設けている。連結具２８は、アンカーピン等でのり面１５に固定される。
【０００４】
以上の構造の土止具は、以下の工程でのり面に固定されてのり面を緑化する。
(1)  のり面１５に連結具２８をアンカーピンで固定する。
(2)  一方のパネル２０の係合突起２２を他方のパネル２０の係合孔２３に抜けないように入れて、２枚のパネル２０を直角に連結する。
(3)  直角に連結している２枚のパネル２０を連結具２８の突起２９の間に案内する。
(4)  Ｌ字アンカー２５をのり面１５に打ち込み、アンカー上端のＬ字状折曲部をパネル２０のアンカー孔２４に入れる。さらに、パネル２０の上端部を跨ぐようにしてＵ形アンカー２６をのり面１５に打ち込み、アンカー２６でパネル２０をのり面１５に固定する。
(5)  その後、パネル２０の上に培養土を入れて木等の植物１７を植え付けする。
【０００５】
以上の構造の土止具は、パネルとのり面との相対位置がずれると、２枚のパネルが外れて充填している培養土が漏れて植物を正常に生育できなくなることがある。それは、係合突起を係合孔に入れて外れないように連結しているからである。２枚のパネルの連結が外れると、内側上方に充填している培養土が流失して、ここに植え付けしている植物を生育できなくなる。パネルの係合突起は、２枚のパネルが相対的に上下に移動しないかぎり抜けないように連結される。しかしながら、係合突起が係合孔に対して上方に移動すると、係合孔に引っかけられなくなって、係合孔から抜けて外れる状態となる。自然ののり面の上に固定される２枚のパネルは、種々の外的な条件で上下に相対的に移動され、全く移動しないように固定するのは極めて難しい。風雪、土砂の流下、雨水の流下、のり面自体の移動等でパネルが移動するからである。
【０００６】
さらに、以上の土止具は、パネルの下部に設けたアンカー孔にＬ形アンカーの上端を引っかけてのり面に固定するので、強固で耐久性のある状態でのり面に固定できない。それは、パネルのアンカー孔の下方が破損すると、Ｌ形アンカーがパネルをのり面に固定でなくなるからである。とくに、パネルに腐食しやすい紙等を使用すると、腐食してのり面にしっかりと固定でなくなる。また、係合突起の係止部が腐食しても、２枚のパネルを連結できなくなる。とくに、係合突起はわずかに突出している部分を係止して抜けないように連結しているので、わずかな突出部分が腐食すると、外れない状態では連結できなくなってしまう。
【０００７】
さらにまた、以上の土止具は、パネルの連結をより確実にするために連結具を使用しているので、２枚のパネルを連結する角度が直角に近い範囲に制限される。それは、直角からずれると２枚のパネルを連結具の突起の間に案内できなくなるからである。土止具は、２枚のパネルの連結角度を変更して、勾配が異なるのり面に固定できる。たとえば、勾配が急なのり面には、２枚のパネルの角度を大きくし、反対に勾配の緩いのり面では、２枚のパネルの角度を小さくして、三角形のパネルの上縁を水平にできる。以上の土止具は、パネルの連結角度が制限されるので、固定するのり面の勾配も制限される。このため、勾配が異なるのり面に固定するために、専用の三角形にパネルを製作する必要がある。
【０００８】
さらに、以上の土止具は、Ｌ形アンカーをパネルのアンカー孔に入れてのり面に固定するが、Ｌ形アンカーをのり面に固定するのに極めて手間がかかる。それは、パネルをのり面を配置してＬ形アンカーをのり面に打ち込むと、パネルが邪魔になって簡単に打ち込みできず、またＬ形アンカーをのり面に打ち込んだ後パネルをのり面にセットすると、Ｌ形アンカーの打ち込み位置がずれて、パネルを確実にのり面に固定できないからである。
【０００９】
本発明者は、以上の欠点を解決することを目的として、図５と図６に示す土止具を開発した。（特許文献２参照）
【００１０】
この土止具は、一方の端から他方の端に向かって幅が広くなる形状に切断している一対の木製板材３１と、一対の木製板材３１をのり面１５に固定するアンカー３２とを備える。一方の木製板材３１は幅広端縁３３に連結凸部３４を、他方の木製板材３１は幅広端縁３３に連結凸部３４を案内して連結する連結切欠部３５を有する。さらに、一方の木製板材３１の連結凸部３４を、他方の木製板材３１の連結切欠部３５に入れる状態で、連結凸部３４と連結切欠部３５とを連結している連結コーナー３６から外側に突出する突出部３７を、両方の木製板材３１の幅広端縁３３から突出して設けている。一方の木製板材３１の連結凸部３４を、他方の木製板材３１の連結切欠部３５に入れて、木製板材３１の突出部３７を連結コーナー３６からＶ字状に突出させてＶ字突出部３８とし、このＶ字突出部３８の内面に、のり面１５に挿入して固定されるアンカー３２を配設して、アンカー３２でもって、互いに連結している一対の木製板材３１のＶ字突出部３８をのり面１５に固定している。
【００１１】
【特許文献１】特開平１０−２８０４１８号公報
【特許文献２】特開２００４−２３８９４８号公報
【発明の開示】
【発明が解決しようとする課題】
【００１２】
この構造の土止具は、施工現場で簡単に一対の木製板材を連結してのり面に固定できる。ただ、この構造の土止具は、充填している培養土の土圧で連結している一対の木製板材が開いて、培養土が漏れやすい欠点がある。培養土が漏れると、木製板材の間に植え付けしている植物が枯渇してしまう。とくに、木製板材は経時的に変形しやすく、変形して連結が外れやすくなる欠点がある。また、岩盤かからなるのり面は、現実には不規則な凹凸があって平面状ではない。このことも、アンカーで固定された一対の木製板材を開いて培養土を漏れやすくする。それは、アンカーが常に理想的な状態で一対の木製板材をのり面に固定できないからである。
【００１３】
また、一対の木製板材をのり面に固定するアンカーは、しっかりと木製板材を固定するために太い金属ロッドを使用する必要がある。たとえば、アンカーには太さを９ｍｍ以上とする金属ロッドが使用される。この金属ロッドの上端をＵ曲してアンカーを製造している。太い金属ロッドをＵ曲して製造されるアンカーは、製造コストも高くなって、土止具のコストを高くしている。
【００１４】
さらにまた、土止具は、充填した培養土に植え付けした植物がのり面に活着した後、木製板材のみが腐食して消失し、太い金属ロッドからなるアンカーは消失しない。アンカーのみがのり面に残存すると、のり面が極めて不自然な状態となる。理想的な土止具は、培養土に植え付けした植物がのり面に活着した後は、消失して自然な状態となるものである。
【００１５】
本発明は、理想的な物性を有する土止具を実現することを目的に開発されたものである。本発明の重要な目的は、一対の木製板材を使用しながら、長期間にわたって木製板材の間に充填した培養土が漏れるのを確実に防止して、種々の形態ののり面を有効に緑化でき、さらに培養土に植え付けした植物がのり面に活着した後、完全に腐食して自然なのり面を実現でき、さらに製造コストを低減して経済的にのり面を緑化できるのり面緑化用の土止具と緑化されたのり面を提供することにある。
【課題を解決するための手段】
【００１６】
本発明の請求項１ののり面緑化用の土止具は、所定の幅の幅広端１Ａから他方の端に位置する先端１Ｂに向かって幅が狭くなる形状に切断している一対の木製板材１と、一対の木製板材１の幅広端１Ａを折曲できるように連結しているヒンジ２と、ヒンジ２でＶ字状に連結している一対の木製板材１の幅広端１Ａと先端１Ｂの中間に両端が連結されて一対の木製板材１を所定の開度に保持する連結材３とを備える。土止具は、連結材３でもって一対の木製板材１を所定の開度のＶ字状に連結し、所定の開度に設定されたＶ字状の木製板材１を、幅広端１Ａがのり面１５の下に、先端１Ｂがのり面１５上に位置する姿勢でのり面１５に配設する。さらに、土止具は、連結材３を一対の木製板材１の間に充填される培養土１６に埋設して、連結材３でもって木製板材１を所定の開度に保持してのり面１５に固定する。
【００１７】
本発明の請求項２ののり面緑化用の土止具は、所定の幅の幅広端１Ａから他方の端に位置する先端１Ｂに向かって幅が狭くなる形状に切断している一対の木製板材１と、一対の木製板材１の幅広端１Ａを折曲できるように連結しているヒンジ２と、ヒンジ２でＶ字状に連結している一対の木製板材１の幅広端１Ａと先端１Ｂの中間に両端が連結されて一対の木製板材１を所定の開度に保持する連結材３と、連結材３をのり面１に固定するアンカー４を備える。土止具は、連結材３でもって一対の木製板材１を所定の開度のＶ字状に連結し、所定の開度に設定されたＶ字状の木製板材１を、幅広端１Ａがのり面の下に、先端１Ｂがのり面の上に位置する姿勢でのり面に配設する。土止具は、連結材３でもって木製板材１を所定の開度に保持すると共に、連結材３をアンカー４を介してのり面１５に固定し、アンカー４と連結材３を介してＶ字状の木製板材１をのり面１５に固定する。
【００１８】
本発明の請求項３ののり面緑化用の土止具は、請求項１及び２に記載の土止具であって、一対の木製板材１に充填する培養土１６に連結材３を埋設すると共に、培養土１６に埋設している連結材３をアンカー４でのり面１５に固定する。
【００１９】
本発明の請求項４ののり面緑化用の土止具は、所定の幅の幅広端１Ａから他方の端に位置する先端１Ｂに向かって幅が狭くなる形状に切断している一対の木製板材１と、一対の木製板材１の間に配設されて、両端の連結端７Ａを木製板材１の幅広端１Ａに連結している木製中間板材７と、木製板材１の幅広端１Ａと木製中間板材７の連結端７Ａとを折曲できるように連結しているヒンジ２と、一対の木製板材１の幅広端１Ａと先端１Ｂの中間に両端が連結されて一対の木製板材１を所定の開度に保持する連結材３とを備える。土止具は、連結材３でもって一対の木製板材１を所定の開度に連結し、所定の開度に設定された木製板材１の先端１Ｂをのり面１５の上に、木製中間板材７をのり面１５の下に位置する姿勢でのり面１５に配設する。さらに、土止具は、連結材３を一対の木製板材１の間に充填される培養土１６に埋設して、連結材３でもって木製板材１を所定の開度に保持して、木製板材１と木製中間板材７とをのり面１５に固定する。
【００２０】
本発明の請求項５ののり面緑化用の土止具は、所定の幅の幅広端１Ａから他方の端に位置する先端１Ｂに向かって幅が狭くなる形状に切断している一対の木製板材１と、一対の木製板材１の間に配設されて、両端の連結端７Ａを木製板材１の幅広端１Ａに連結している木製中間板材７と、木製板材１の幅広端１Ａと木製中間板材７の連結端７Ａとを折曲できるように連結しているヒンジ２と、一対の木製板材１の幅広端１Ａと先端１Ｂの中間に両端が連結されて一対の木製板材１を所定の開度に保持する連結材３と、連結材３をのり面１５に固定するアンカー４を備える。土止具は、連結材３でもって一対の木製板材１を所定の開度に連結し、所定の開度に設定された木製板材１の先端１Ｂをのり面１５の上に、木製中間板材７をのり面１５の下に位置する姿勢でのり面１５に配設する。さらに、土止具は、連結材３でもって木製板材１を所定の開度に保持すると共に、連結材３をアンカー４を介してのり面１５に固定し、アンカー４と連結材３を介して木製板材１と木製中間板材７とをのり面１５に固定する。
【００２１】
本発明の請求項６ののり面緑化用の土止具は、請求項４及び５に記載の土止具であって、一対の木製板材１の間に充填する培養土１６に連結材３を埋設すると共に、培養土１６に埋設している連結材３をアンカー４でのり面１５に固定する。
【００２２】
本発明の請求項７の緑化されたのり面は、所定の培養土１６を充填できる上方開口の土止具が所定の間隔で固定されており、土止具に培養土１６を充填し、培養土１６に植物１７を植え付けしている。土止具は、所定の幅の幅広端１Ａから他方の端に位置する先端１Ｂに向かって幅が狭くなる形状に切断している一対の木製板材１と、一対の木製板材１の幅広端１Ａを折曲できるように連結しているヒンジ２と、ヒンジ２でＶ字状に連結している一対の木製板材１の幅広端１Ａと先端１Ｂの中間に両端が連結されて一対の木製板材１を所定の開度に保持する連結材３とを備える。この土止具は、連結材３でもって一対の木製板材１を所定の開度のＶ字状に連結し、所定の開度に設定されたＶ字状の木製板材１を、幅広端１Ａがのり面１５の下に、先端１Ｂがのり面１５の上に位置する姿勢でのり面１５に配設している。さらに、土止具は、連結材３を一対の木製板材１の間に充填される培養土１６に埋設して、連結材３でもって木製板材１を所定の開度に保持してのり面１５に固定している。
【００２３】
本発明の請求項８の緑化されたのり面は、所定の培養土１６を充填できる上方開口の土止具が所定の間隔で固定されており、土止具に培養土１６を充填し、培養土１６に植物１７を植え付けしている。土止具は、所定の幅の幅広端１Ａから他方の端に位置する先端１Ｂに向かって幅が狭くなる形状に切断している一対の木製板材１と、一対の木製板材１の幅広端１Ａを折曲できるように連結しているヒンジ２と、ヒンジ２でＶ字状に連結している一対の木製板材１の幅広端１Ａと先端１Ｂの中間に両端が連結されて一対の木製板材１を所定の開度に保持する連結材３と、連結材３をのり面１５に固定するアンカー４を備える。この土止具は、連結材３でもって一対の木製板材１を所定の開度のＶ字状に連結し、所定の開度に設定されたＶ字状の木製板材１を、幅広端１Ａがのり面１５の下に、先端１Ｂがのり面１５の上に位置する姿勢でのり面１５に配設している。さらに、土止具は、連結材３でもって木製板材１を所定の開度に保持すると共に、連結材３をアンカー４を介してのり面１５に固定し、アンカー４と連結材３を介してＶ字状の木製板材１をのり面１５に固定している。
【００２４】
本発明の請求項９の緑化されたのり面は、請求項７及び８に記載の緑化されたのり面であって、土止具が、一対の木製板材１の間に充填する培養土１６に連結材３を埋設し、かつ培養土１６に埋設している連結材３をアンカー４でのり面１５に固定している。
【００２５】
本発明の請求項１０の緑化されたのり面は、所定の培養土１６を充填できる上方開口の土止具が所定の間隔で固定されており、土止具に培養土１６を充填し、培養土１６に植物１７を植え付けしている。土止具は、所定の幅の幅広端１Ａから他方の端に位置する先端１Ｂに向かって幅が狭くなる形状に切断している一対の木製板材１と、一対の木製板材１の間に配設されて、両端の連結端７Ａを木製板材１の幅広端１Ａに連結している木製中間板材７と、木製板材１の幅広端１Ａと木製中間板材７の連結端７Ａとを折曲できるように連結しているヒンジ２と、一対の木製板材１の幅広端１Ａと先端１Ｂの中間に両端が連結されて一対の木製板材１を所定の開度に保持する連結材３とを備える。この土止具は、連結材３でもって一対の木製板材１を所定の開度に連結し、所定の開度に設定された木製板材１の先端１Ｂをのり面１５の上に、木製中間板材７をのり面１５の下に位置する姿勢でのり面１５に配設している。さらに、土止具は、連結材３を一対の木製板材１の間に充填される培養土１６に埋設して、連結材３でもって木製板材１を所定の開度に保持して、木製板材１と木製中間板材７をのり面１５に固定している。
【００２６】
本発明の請求項１１の緑化されたのり面は、所定の培養土１６を充填できる上方開口の土止具が所定の間隔で固定されており、土止具に培養土１６を充填し、培養土１６に植物１７を植え付けしている。土止具は、所定の幅の幅広端１Ａから他方の端に位置する先端１Ｂに向かって幅が狭くなる形状に切断している一対の木製板材１と、一対の木製板材１の間に配設されて、両端の連結端７Ａを木製板材１の幅広端１Ａに連結している木製中間板材７と、木製板材１の幅広端１Ａと木製中間板材７の連結端７Ａとを折曲できるように連結しているヒンジ２と、一対の木製板材１の幅広端１Ａと先端１Ｂの中間に両端が連結されて一対の木製板材１を所定の開度に保持する連結材３と、連結材３をのり面１５に固定するアンカー４を備える。この土止具は、連結材３でもって一対の木製板材１を所定の開度に連結し、所定の開度に設定された木製板材１の先端１Ｂをのり面１５の上に、木製中間板材７をのり面１５の下に位置する姿勢でのり面１５に配設している。さらに、土止具は、連結材３でもって木製板材１を所定の開度に保持すると共に、連結材３をアンカー４を介してのり面１５に固定し、アンカー４と連結材３を介して木製板材１と木製中間板材７とをのり面１５に固定している。
【００２７】
本発明の請求項１２の緑化されたのり面は、請求項１０及び１１に記載の緑化されたのり面であって、土止具が、一対の木製板材１の間に充填する培養土１６に連結材３を埋設し、かつ培養土１６に埋設している連結材３をアンカー４でのり面１５に固定している。
【発明の効果】
【００２８】
本発明は、長期間にわたって木製板材の間に充填した培養土が漏れるのを確実に防止して、種々の形態ののり面を有効に緑化でき、さらに培養土に植え付けした植物がのり面に活着した後、完全に腐食させて自然なのり面を実現できる特長がある。それは、本発明ののり面緑化用の土止具が、一対の木製板材を折曲できるようにヒンジで連結し、あるいは、一対の木製板材と木製中間板材とを互いに折曲できるようにヒンジで連結しており、さらに、一対の木製板材に連結具の両端を連結して、連結具で一対の木製板材を所定の開度に保持すると共に、この連結具を培養土に埋設して、あるいは連結具をアンカーでのり面に固定して土止め具をのり面に固定するようにしており、さらに、本発明の緑化されたのり面が、この構造の土止をのり面に所定の間隔で固定して、土止具に充填した培養土に植物を植え付けしているからである。
【００２９】
本発明の土止具は、木製板材をヒンジで折曲できるように連結するので、従来の土止具のように、一対の木製板材の連結状態が解除されて培養土が漏れるのを確実に防止できる。しかも、ヒンジで連結される木製板材は、互いに連結する角度範囲を広くできるので、現場における施工作業を簡単にして、能率よく、安全に、しかも迅速に施工できる特長を実現できる。さらに、この構造の土止具は、一対の木製板材を連結具で連結して木製板材の開度を調整するので、この連結具の長さを調整することで木製板材の開度を簡単に調整できる特長もある。
【００３０】
さらに、本発明の土止具は、木製板材を所定の開度に保持する連結具を培養土に埋設してのり面に固定し、あるいは連結具をアンカーでのり面に固定するので、従来のように、木製板材をのり面に固定する太い金属ロッドであるアンカーを必要としない。このため、土止具の製造コストを低減できると共に、金属ロッドであるアンカーがのり面の外観を悪くするのを防止できる。土止具は、経時的に木製板材が腐食して消失するが、太い金属ロッドからなるアンカーは消失しないからである。したがって、従来のように、植物がのり面に活着した後、アンカーのみがのり面に残存して不自然な状態となるのを防止して、自然な状態ののり面を実現できる。
【発明を実施するための最良の形態】
【００３１】
以下、本発明の実施例を図面に基づいて説明する。ただし、以下に示す実施例は、本発明の技術思想を具体化するためののり面緑化用の土止具と、この土止具で緑化したのり面を例示するものであって、本発明は土止具とのり面を以下のものに特定しない。
【００３２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００３３】
図７ないし図１０に示す土止具は、一対の木製板材１と、木製板材１の開度を調整してのり面１５に固定する連結材３とを備える。さらに、図の土止具は、連結材３をアンカー４でのり面にしっかりと固定している。図示しないが、のり面には複数の土止具が固定され、各々の土止具に植物が植え付けられる。のり面に固定される複数の土止具は、上下左右に離されて、所定の間隔で固定される。のり面に固定された土止具は、図８の断面図に示すように、その上方に培養土１６を入れ、培養土１６に木や草等の植物１７を植え付けする。木は、ポットから出して、あるいは腐食するポットから出すことなく、土止具の内側に植え付けされる。土止具には、木のみでなく、草を植え付けすることもできる。木や草は、土止具の内側に充填される培養土１６に植え付けされる。土止具の内部で木製板材１の上に充填された培養土１６は、土止具の木製板材１でずれ落ちるのが阻止され、木製板材１の上方に蓄えられる。培養土１６は保水性を有し、雨水を吸水して植物１７を生育させる。土止具は、切り土のり面に、あるいは盛り土のり面に固定される。
【００３４】
木製板材１は、木材を板状に製材したものを切断して製作される。木製板材１の材料には、間伐材を板状に製材したもの、建築廃材、あるいは円柱状の原木を角柱に製材する工程で発生する背板等を板状に製材したものが使用される。これ等の板材を製材して木製板材１に使用すると、廃棄する板材を有効に再利用できる特長がある。とくに、間伐材は、有効に使用される用途が少なく、これを製材して使用することにより、間伐材を有効に利用できる。
【００３５】
木製板材１は、１枚の板材を切断して製作し、あるいは図１１と図１２に示すように、幅の狭い複数の板材１０を連結して、幅の広い板材として切断して製作することもできる。図１１は一方の板材１０の連結面に凸条１０Ａを設け、他方の板材１０の連結面に凸条１０Ａを嵌入する縦溝１０Ｂを設け、縦溝１０Ｂに凸条１０Ａを入れて連結している。図１２の木製板材１は、両方の板材１０の連結面に縦溝１０Ｂを設け、この縦溝１０Ｂに連結ロッド１１の両側を嵌入して、連結ロッド１１で連結している。
【００３６】
木製板材１は、傾斜するのり面１５に固定されて上面を水平ないしはほぼ水平とするように、一方の幅広端１Ａから他方の先端１Ｂに向かって幅が狭くなる形状、すなわち三角形に切断している。木製板材１は、上面を水平とするようにのり面１５に固定されるので、のり面１５に固定される状態では下側の端部が幅広端１Ａとなり上側が先端１Ｂとなる。図に示す木製板材１は、幅広端１Ａの上側のコーナーを直角とする直角三角形としている。この形状の木製板材１は、直角三角形の斜辺である辺をのり面１５に沿う状態で配設して、上面を水平とするように配置される。
【００３７】
さらに、一対の木製板材１は、互いに幅広端１Ａをヒンジ２で折曲できるように連結して、Ｖ字状に連結している。ヒンジ２は、２枚のプレートを回転軸を介して回転できるように連結しているドア等に使用される蝶番、あるいは折曲できる金属製又はプラスチック製の板材、あるいは布や不織布等のシート材が使用できる。蝶番はプレートの側縁を円筒状に加工し、この円筒に回転軸を回転できるように挿通して、２枚のプレートを折曲できるように連結している。蝶番は、２枚の木製板材をスムーズに所定の角度に折曲できる。折曲できる板材やシート材からなるヒンジは、両側部を木製板材に固定して、木製板材を折曲できるように連結する。このヒンジは、構造が簡単で安価にできる。蝶番は２枚のプレートを、板材やシート材のヒンジは両側部を木製板材の内面に固定している。ヒンジ２は、接着して、あるいはネジ止して、あるいは又ネジ止と接着して木製板材１に固定される。ヒンジ２を木製板材１の内面に固定する土止具は、ヒンジ２が外部に表出しない。このため、外部からヒンジ２が見えないように木製板材１に固定できる。ただし、ヒンジは木製板材の外側に固定することもできる。外側に固定されるヒンジは、プラスチック板やシート材で製作すると共に、その表面を木製板材と同じ色に着色して、目だたないように木製板材に固定できる。
【００３８】
図の土止具は、木製板材１の幅広端１Ａの上下にふたつのヒンジ２を固定している。土止具は、長いひとつのヒンジを幅広端に固定することもできる。また、３つ以上のヒンジを幅広端に固定して、木製板材を折曲できるように連結することもできる。
【００３９】
ヒンジ２で木製板材１を連結している土止具は、一対の木製板材１を互いに連結する角度範囲を広くできる。このことは、のり面１５に固定される土止具において極めて大切である。それは、土止具を固定するのり面１５は、岩盤等の滑りやすい危険な作業現場が多いからである。危険な作業現場では、施工作業をできるかぎり簡単にして、しかも能率よく施工できることが大切である。難しい手間のかかる作業が、安全性を低下させるからである。簡単な作業は、楽な姿勢で能率よく施工でき、安全に、しかも迅速に施工できる。
【００４０】
折曲できるように連結される一対の木製板材１は、連結材３で所定の開度に調整され、さらに連結材３を介してのり面１５に固定される。連結材３は、ヒンジ２を介してＶ字状に連結している一対の木製板材１の幅広端１Ａと先端１Ｂの中間に両端を連結して、一対の木製板材１を所定の開度に保持する。連結材３を長くすると、一対の木製板材１の開度は大きくなり、反対に連結材３を短くすると木製板材１の開度は小さくなる。
【００４１】
連結材３は可撓性のある針金である。連結材３の針金は、充分な強度があり、変形させやすく、さらに速やかに腐食して消失するように、「焼きなまし」した針金を使用する。焼きなましした針金は、耐用年数を７〜８年として、木製板材１と共に腐食して消失する。また、この連結材３は、焼きなまし処理によって軟化されるので、施工するときに自由に変形して、木製板材１の開度を簡単に調整できる。針金からなる連結材３は、端部を木製板材１に内側から外側に貫通させて、外側で直角ないし鋭角に折曲されて、木製板材１に係止される。この連結材３は、木製板材１に設けた貫通孔５に端部を挿通し、木製板材１の外側で木製板材１を係止して、木製板材１を所定の開度に固定する。針金である連結材３は、木製板材１の外側に貫通させた端部の折曲状態を変更して連結材３の長さを変更できるので、極めて簡単に木製板材１の開度を調整できる特長がある。
【００４２】
さらに、連結材は、図示しないが、木製板材の外側に位置する折曲片を、Ｕ字状の固定釘で木製板材に固定して、しっかりと固定できる。釘等で端部を固定する連結材は、針金に限らず、たとえばプラスチック製の線材、あるいはプラスチックや繊維製の紐材も使用できる。これ等の連結材は、木製板材に設けた貫通孔に挿通し、木製板材の外側で木製板材に固定されて、木製板材を所定の開度に固定する。この連結構造は、連結材の両端をしっかりと外れないように木製板材に連結できる特長がある。さらに、両端を木製板材に固定する連結材は、中間部分の状態を変化させて、長さを調整することもできる。たとえば、可撓性を有する針金である連結材は、中間部分を折り曲げて、あるいは捻って長さを短く調整することができる。また、紐材である連結材は、中間部分を括って長さを短く調整できる。この構造は、連結具の両端を木製板材にしっかりと固定しながら、連結具の長さを調整して木製板材の開度を簡単に調整できる。
【００４３】
さらに、連結材は、端部を木製板材の内側から外側に貫通させて、外側でロッド等の係止部材に固定して木製板材に抜けないように連結することもできる。針金である連結材は、端部を係止部材に巻き付けて、紐材である連結材は、端部を係止部材に結びつけて簡単に連結できる。この連結構造は、木製板材の外側で係止部材に固定する連結材の端部の長さを調整して、木製板材の開度を簡単に調整できる。
【００４４】
連結材３は、一対の木製板材１を所定の開度に調整すると共に、木製板材１をのり面１５に固定する役目もする。連結材３は木製板材１の内側に充填される培養土１６に埋設され、培養土１６を介してのり面１５に固定される。この固定構造は、勾配の緩いのり面に採用される。勾配の急峻なのり面は、連結材３をアンカー４でのり面に固定する。アンカー４は、のり面１５に挿入される釘である。アンカー４は、全長を１５ｃｍ〜２５ｃｍとし、のり面１５に打ち込まれて連結材３を固定する。釘のアンカー４で固定される連結材３は、途中をループ６にする。このループ６に釘のアンカー４を挿通し、アンカー４をのり面１５に打ち込んで連結材３を固定する。アンカーには、上端をＵ曲した釘も使用できる。この釘は、Ｕ曲部に連結材を引っかけてのり面に打ち込まれる。アンカー４でのり面１５に固定される連結材３は、培養土１６に埋設される。
【００４５】
さらに、図１３ないし図１５に示す土止具は、一対の木製板材１と、一対の木製板材１の間に配設される木製中間板材７と、木製板材１の開度を調整してのり面１５に固定する連結材３とを備える。さらに、図の土止具は、連結材３をアンカー４でのり面１５にしっかりと固定している。
【００４６】
木製板材１と木製中間板材７は、木材を板状に製材したものを所定の形状に切断して製作される。木製板材１と木製中間板材７の材料には、間伐材を板状に製材したもの、建築廃材、あるいは円柱状の原木を角柱に製材する工程で発生する背板等を板状に製材したものが使用される。木製板材１と木製中間板材７は、１枚の板材を切断して製作し、あるいは幅の狭い複数の板材を連結したものを切断して製作される。
【００４７】
木製板材１は、傾斜するのり面１５に固定されて上面を水平ないしはほぼ水平とするように、一方の幅広端１Ａから他方の先端１Ｂに向かって幅が狭くなる形状、すなわち三角形に切断している。木製板材１は、上面を水平とするようにのり面１５に固定されるので、のり面１５に固定される状態では下側の端部が幅広端１Ａとなり上側が先端１Ｂとなる。図に示す木製板材１は、幅広端１Ａの上側のコーナーを直角とする直角三角形としている。この形状の木製板材１は、直角三角形の斜辺である辺をのり面１５に沿う状態で配設して、上面を水平とするように配置される。
【００４８】
木製中間板材７は、一対の木製板材１の間に配設されて、両端の連結端７Ａを木製板材１の幅広端１Ａに連結している。したがって、木製中間板材７は、両端の連結端７Ａの幅を木製板材１の幅広端１Ａの幅とほぼ等しくしている。図に示す木製中間板材７は、両端の連結端７Ａを上面に対して垂直として、木製中間板材７の全体の形状を長方形としている。ただ、木製中間板材は、両端の連結端を傾斜させて、全体の形状を台形とすることもできる。
【００４９】
木製板材１の幅広端１Ａと木製中間板材７の連結端７Ａは、互いに折曲できるようにヒンジ２を介して連結している。このヒンジ２には、前述の実施例と同様に、２枚のプレートを回転軸を介して回転できるように連結している蝶番、あるいは折曲できる金属製又はプラスチック製の板材、あるいは布や不織布等のシート材が使用できる。蝶番であるヒンジは２枚のプレートを、板材やシート材のヒンジは両側部を、木製板材１と木製中間板材７の内面に接着して、あるいはネジ止して、あるいは又ネジ止と接着して固定される。ヒンジ２を木製板材１の内面に固定する土止具は、ヒンジ２が外部に表出しないので、外観を良くできる。ただ、ヒンジは木製板材と木製中間板材の外側に固定することもできる。
【００５０】
図の土止具は、木製板材１の幅広端１Ａと木製中間板材７の連結端７Ａの上下にふたつのヒンジ２を固定している。ただ、幅広端と連結端は、長いひとつのヒンジで固定することも、３つ以上のヒンジで固定することもできる。
【００５１】
ヒンジ２で木製板材１を木製中間板材７に連結している土止具も、木製中間板材７と木製板材１の角度範囲を広くできる特長がある。このため、この土止具も、危険な作業現場での施工作業を迅速にできる。
【００５２】
折曲できるように木製中間板材７の両端に連結される一対の木製板材１は、連結材３で所定の開度に調整され、さらに連結材３を介してのり面１５に固定される。連結材３は、ヒンジ２を介して木製中間板材７に連結している一対の木製板材１の幅広端１Ａと先端１Ｂの中間に両端を連結して、一対の木製板材１を所定の開度に保持する。連結材３を長くすると、一対の木製板材１の開度は大きくなり、反対に連結材３を短くすると木製板材１の開度は小さくなる。この構造の土止具も、連結材３の長さを種々に変更して、木製中間板材７に対する木製板材１の開度をのり面１５に最適な角度に保持することができる。
【００５３】
連結材３は、その材質として前述の実施例と同じものが使用でき、また、木製板材１への連結構造として、前述の実施例と同じ構造が採用できる。連結材３は、一対の木製板材１を所定の開度に調整すると共に、土止具をのり面１５に固定する役目もする。この土止具は、木製中間板材７をのり面１５の下に、木製板材１の先端１Ｂをのり面１５の上に位置する姿勢でのり面１５に配設される。さらに、のり面１５に配置された土止具の一対の木製板材１の間に培養土１６が充填される。連結材３は、木製板材１の内側に充填される培養土１６に埋設され、培養土１６を介してのり面１５に固定され、あるいは、アンカー４でのり面に固定される。アンカー４は、連結材３の途中に設けたループ６に挿通し、のり面１５に打ち込んで連結材３を固定する。一対のアンカー４でのり面１５に固定される連結材３は、培養土１６に埋設される。
【００５４】
さらに、土止具は、図１６に示すように、木製中間板材７を複数の分割板材７ａに分割することもできる。図に示す木製中間板材７は、連結端７Ａの中間で２分割しており、２分割された分割板材７ａの分割端７Ｂを折曲できるようにヒンジ２で連結している。図に示す木製中間板材７は、分割板材７ａの幅が、分割端７Ｂから連結端７Ａに向かって、次第に狭くなる形状としている。この形状の木製中間板材７は、図に示すように、分割板材７ａを分割端７ＢのヒンジでＶ字状に折曲させて、下面をのり面の勾配に沿う状態で設置することができる。さらに、この土止具は、一対の木製板材１を木製中間板材７に対して折曲させて、木製板材１の下面をのり面の勾配に沿う状態にできる。図に示す土止具は、分割された分割板材７ａにも連結材８の両端を連結している。この土止具は、連結材８の長さを調整して木製中間板材７の分割板材７ａの開度を調整し、連結材３の長さを調整して木製板材１の開度を調整する。さらに、この土止具は、連結材８と連結材３の両方を介して、より強固にのり面に固定できる特長もある。ただ、分割板材は、必ずしも連結材で連結する必要はない。さらに、図示しないが、木製中間板材は、３つ以上に分割することもできる。
【図面の簡単な説明】
【００５５】
【図１】従来の緑化工法に使用する土止具の使用状態を示す側面図である。
【図２】図１に示す土止具を構成する２枚のパネルの展開図である。
【図３】図２に示す２枚のパネルの連結状態を示す平面図である。
【図４】図３に示す２枚のパネルの連結コーナー部を連結する連結具の拡大斜視図である。
【図５】本発明者が先に開発したのり面緑化用の土止具の斜視図である。
【図６】図５に示す土止具の使用状態を示す断面図である。
【図７】本発明の一実施例にかかるのり面緑化用の土止具の斜視図である。
【図８】図７に示す土止具の使用状態を示す断面図である。
【図９】図７に示す土止具の平面図である。
【図１０】図７に示す土止具の展開図である。
【図１１】木製板材の他の一例であって、その製造工程を示す分解斜視図である。
【図１２】木製板材の他の一例であって、その製造工程を示す分解断面図である。
【図１３】本発明の他の実施例にかかるのり面緑化用の土止具の斜視図である。
【図１４】図１３に示す土止具の使用状態を示す断面図である。
【図１５】図１３に示す土止具の展開図である。
【図１６】本発明の他の実施例にかかるのり面緑化用の土止具の斜視図であ
【符号の説明】
【００５６】
１…木製板材              １Ａ…幅広端
１Ｂ…先端
２…ヒンジ
３…連結材
４…アンカー
５…貫通孔
６…ループ
７…木製中間板材          ７ａ…分割板材
７Ａ…連結端
７Ｂ…分割端
８…連結材
１０…板材                １０Ａ…凸条
１０Ｂ…縦溝
１１…連結ロッド
１５…のり面
１６…培養土
１７…植物
２０…パネル
２１…幅広端縁
２２…係合突起
２３…係合孔
２４…アンカー孔
２５…Ｌ字アンカー
２６…アンカー
２７…連結コーナー部
２８…連結具
２９…突起
３１…木製板材
３２…アンカー
３３…幅広端縁
３４…連結凸部
３５…連結切欠部
３６…連結コーナー
３７…突出部
３８…Ｖ字突出部
【図１】
2006322209.tif 000003
【図２】
2006322209.tif 000004
【図３】
2006322209.tif 000005
【図４】
2006322209.tif 000006
【図５】
2006322209.tif 000007
【図６】
2006322209.tif 000008
【図７】
2006322209.tif 000009
【図８】
2006322209.tif 000010
【図９】
2006322209.tif 000011
【図１０】
2006322209.tif 000012
【図１１】
2006322209.tif 000013
【図１２】
2006322209.tif 000014
【図１３】
2006322209.tif 000015
【図１４】
2006322209.tif 000016
【図１５】
2006322209.tif 000017
【図１６】
2006322209.tif 000018